(57)【特許請求の範囲】
【請求項１】
２つのオーディオ信号を混合し、その混合比を調整操作するための操作部を有する混合装置に接続可能なディスクプレーヤであって、
ディスクからピックアップによって読み取ったオーディオ信号を出力する出力手段と、
前記ディスク上の指定されたアドレス位置を記憶する記憶手段と、
前記混合装置から再生開始の指示を受けると再生動作を開始し、前記混合装置から再生停止の指示を受けると、その再生動作を停止しかつ前記ピックアップの読取位置を前記記憶手段に記憶されているアドレス位置に戻すことにより前記ディスクプレーヤ自体を待機状態に制御する制御手段と、を備えたことを特徴とするディスクプレーヤ。
【発明の詳細な説明】
【０００１】
【産業上の利用分野】
本発明は、２つのオーディオ信号を混合する混合装置に接続可能なディスクプレーヤに関する。
【０００２】
【従来の技術】
ディスコにおいて演奏される音楽は踊りに適したいわゆるダンスミュージックといわれるものであるが、このようなダンスミュージックであってもダンスミュージック毎にテンポが変わることは踊り辛く好ましくない。一方、テンポを変えないという理由のために、同じ曲をを延々と再生し続けることは、ダンスに対する興味を損なうことになる。そこで、ディスコでダンスミュージックを編集する編集者（ディスクジョッキー；ＤＪ）は、編集用のミキサー（混合装置）を介して、現在再生中の曲（第１の曲）に間断無く連続させて次の曲（第２の曲）に繋げるように、複数台（例えば、２台）のディスクプレーヤを用意している。一方のプレーヤにより第１の曲の再生中に他方のプレーヤにて次の曲（第２の曲）の頭出しを行なうと共に、再生速度を合わせるために他方のプレーヤのディスクの回転速度を制御しておき、第１の曲の再生が終了した時点で他方のプレーヤにより第２の曲の再生を開始することが行なわれる。
【０００３】
【発明が解決しようとする課題】
第１の曲と第２の曲との間の編集方法としては、ＤＪの好みにより、カットイン編集やロングミックス編集が行なわれている。このうちのロングミックス編集とは、第１の曲と第２の曲とをミキサーにてクロスフェードしながら混合する編集である。ＤＪはロングミックス編集の場合には第２の曲の頭出しをした後、第２の曲を直ちに再生開始できる状態で待機させ、クロスフェードを開始すべき第１の曲の編集ポイントが到来したときクロスフェード調整を行ないながら第２の曲の再生を開始しなければならず、ＤＪには繁雑な作業が要求されていた。
【０００４】
本発明が解決しようとする課題には、上記の問題点が一例として挙げられ、ロングミックス編集を簡単な操作でなし得ることができるオーディオ信号混合装置に接続可能なディスクプレーヤを提供することが本発明の目的である。
【０００５】
【課題を解決するための手段】
本願請求項１に係る発明のディスクプレーヤは、２つのオーディオ信号を混合し、その混合比を調整操作するための操作部を有する混合装置に接続可能なディスクプレーヤであって、ディスクからピックアップによって読み取ったオーディオ信号を出力する出力手段と、前記ディスク上の指定されたアドレス位置を記憶する記憶手段と、前記混合装置から再生開始の指示を受けると再生動作を開始し、前記混合装置から再生停止の指示を受けると、その再生動作を停止しかつ前記ピックアップの読取位置を前記記憶手段に記憶されているアドレス位置に戻すことにより前記ディスクプレーヤ自体を待機状態に制御する制御手段と、を備えたことを特徴としている。
【０００６】
【発明の実施の形態】
以下、本発明の実施例を図面を参照しつつ詳細に説明する。図１は本発明の一実施例であり、オーディオ信号混合装置とそれに接続可能なディスクプレーヤを示している。この実施例においては、４つのコンパクトディスクプレーヤ（以下ＣＤプレーヤと称す）１〜４が設けられている。ＣＤプレーヤ１〜４はマイクロコンピュータ５からの指令に応じて動作するようになっている。また、各ＣＤプレーヤ１〜４は再生時には再生信号としてのオーディオ信号を出力する。ＣＤプレーヤ１の出力オーディオ信号はＣＨ（チャンネル）１の入力端に供給され、ＣＤプレーヤ２の出力オーディオ信号はＣＨ２の入力端に供給され、ＣＤプレーヤ３の出力オーディオ信号はＣＨ３の入力端に供給され、ＣＤプレーヤ４の出力オーディオ信号はＣＨ４の入力端に供給される。
【０００７】
ＣＨ１の入力端には入力レベル調整器１１、イコライザ調整器２１、そしてチャンネルフェーダ調整器３１の順に接続されている。同様に、各ＣＨ２，ＣＨ３，ＣＨ４の入力端にも入力レベル調整器１２〜１４、イコライザ調整器２２〜２４、そしてチャンネルフェーダ調整器３２〜３４の順に接続されている。入力レベル調整器１１〜１４はＣＤプレーヤから供給されるオーディオ信号レベルを操作に応じて調整し、イコライザ調整器２１〜２４は入力レベル調整器１１〜１４から供給されるオーディオ信号の周波数特性を操作に応じて調整し、チャンネルフェーダ調整器３１〜３４はイコライザ調整器２１〜２４から供給されるオーディオ信号レベルを操作に応じて調整する。チャンネルフェーダ調整器３１〜３４は入力レベル調整器１１〜１４でレベル調整された信号の取り得るレベル変化範囲においてフェードイン及びフェードアウト動作を可能にする。
【０００８】
チャンネルフェーダ調整器３１〜３４の出力にはチャンネル毎に切換スイッチ６１〜６４が接続されている。切換スイッチ６１〜６４は連動するクロスフェードオンオフスイッチ６を形成している。切換スイッチ６１はチャンネルフェーダ調整器３１から出力されるオーディオ信号を２つの端子ＯＮ，ＯＦＦのいずれか一方に選択的に中継する。端子ＯＮには２つのＡ及びＢチャンネルアサインスイッチ７，８が接続されている。端子ＯＦＦには加算器１０が接続されている。他の切換スイッチ６２〜６４も切換スイッチ６１と同様に接続されている。チャンネルアサインスイッチ７，８は４つのチャンネルＣＨ１〜ＣＨ４のうちの１つのチャンネルを選択するスイッチであり、選択されたチャンネルのオーディオ信号をクロスフェードオンオフスイッチ６の出力から中継出力する。加算器１０は切換スイッチ６１〜６４が端子ＯＦＦを選択しているときに切換スイッチ６１〜６４から中継出力される各チャンネルのオーディオ信号を加算する。
【０００９】
Ａチャンネルアサインスイッチ７の出力には第１ＶＣＡ（電圧制御増幅器）１５が接続され、Ｂチャンネルアサインスイッチ８の出力には第２ＶＣＡ１６が接続されている。ＶＣＡ１５，１６の制御端にはスライドボリューム１７が接続されている。スライドボリューム１７は図２に示すようにＡ端とＢ端との間を摺動自在にされた操作子１７ａを有し、この操作子１７ａの位置に応じた２つの電圧ＶA，ＶBを発生する。すなわち、スライドボリューム１７には電圧Ｖccが印加されており、その電圧Ｖccを分圧して２つの電圧ＶA，ＶBが発生される。操作子１７ａがＡ端に位置しているとき電圧ＶAは最大となり、電圧ＶBは最小となる。操作子１７ａがＡ端からＢ端に向かって進むに従ってに電圧ＶAは徐々に低下し、電圧ＶBは徐々に増大し、操作子１７ａがＡ端とＢ端との中間点に位置するときには電圧ＶA，ＶBは互いに等しくなる。そして、操作子１７ａがＢ端に位置したときにはＡ端とは逆になり電圧ＶAは最小となり、電圧ＶBは最大となる。
【００１０】
よって、ＶＣＡ１５，１６の利得（減衰量）は操作子１７ａの位置との関係は図３に示すように互いに逆の特性となっている。すなわち、操作子１７ａがＡ端にあるときにはＶＣＡ１５の利得は最大（減衰量としては最小）となり、ＶＣＡ１６の利得は最小（減衰量としては最大）となる。操作子１７ａがＡ端からＢ端に移動するに従ってＶＣＡ１５の利得は減少し、ＶＣＡ１６の利得は増加する。操作子１７ａがＡ端とＢ端との間にあるときにはＶＣＡ１５，ＶＣＡ１６の利得は等しくなる。操作子１７ａがＢ端にあるときにはＶＣＡ１５の利得は最小となり、ＶＣＡ１６の利得は最大となる。
【００１１】
ＶＣＡ１５，１６の出力には加算器１８が接続され、ＶＣＡ１５，１６から出力されたオーディオ信号が加算されるようになっている。加算器１８の出力にはマスターフェーダ調節器１９が接続されている。マスターフェーダ調節器１９には加算器１０の出力も接続されている。マスターフェーダ調節器１９の出力信号が本混合装置の出力信号となる。マスターフェーダ調節器１９は供給されるオーディオ信号の取り得るレベル変化範囲においてレベル調整又はフェードイン及びフェードアウト動作を可能にする。
【００１２】
チャンネルフェーダ調整器３１〜３４各々においてはその操作子（図示せず）の位置である調整位置を示す電圧信号が得られており、その電圧信号はＡ／Ｄ変換器９１〜９４を介してディジタル化されてマイクロコンピュータ５に供給される。また、スライドボリューム１７から出力される電圧ＶAはＡ／Ｄ変換器９５を介してディジタル化されてマイクロコンピュータ５に供給される。更に、マイクロコンピュータ５にはクロスフェードオンオフスイッチ６のオンオフ状態を示す信号、並びにＡ及びＢチャンネルアサインスイッチ７，８の選択チャンネルを示す信号が供給される。また、クロスフェードの開始を指令するためのクロスフェードスタートスイッチ２０もマイクロコンピュータ５に接続されている。
【００１３】
かかる構成において、ＣＤプレーヤ１〜４のいずれか１のプレーヤから出力されたオーディオ信号は対応するチャンネルの入力端に供給される。例えば、ＣＤプレーヤ１からオーディオ信号が出力されたならば、ＣＨ１のオーディオ信号となって入力レベル調整器１１でレベル調整された後、イコライザ調整器２１で周波数特性を調整され、そしてチャンネルフェーダ調整器３１で更にレベル調整される。他のＣＤプレーヤ２〜４から個別に出力されたオーディオ信号についてもＣＤプレーヤ１と同様に処理される。切換スイッチ６１〜６４が端子ＯＦＦ側に切り換えられている場合には、チャンネルフェーダ調整器３１から出力されたオーディオ信号は切換スイッチ６１を介して加算器１０に供給され、加算器１０から更にマスターフェーダ調節器１９でレベル調整されて出力される。ＣＤプレーヤ１〜４のうちの２つのＣＤプレーヤからオーディオ信号が出力されている場合には、それらのオーディオ信号はチャンネルフェーダ調整器を経た後、加算器１０で加算されることになる。
【００１４】
一方、切換スイッチ６１〜６４が端子ＯＮ側に切り換えられている場合には、ＣＤプレーヤ１〜４全てからオーディオ信号が各々出力されるならば、切換スイッチ６１〜６４を介してＡ及びＢチャンネルアサインスイッチ７，８双方に全てのチャンネルのオーディオ信号が供給されることになる。Ａ及びＢチャンネルアサインスイッチ７，８では個別にチャンネルＣＨ１〜ＣＨ４のうちの１チャンネルをユーザが選択することができるので、例えば、Ａチャンネルアサインスイッチ７ではチャンネルＣＨ１が選択され、Ｂチャンネルアサインスイッチ８ではチャンネルＣＨ２が選択されたならば、クロスフェードはＣＤプレーヤ１及びＣＤプレーヤ２から出力されるチャンネルＣＨ１及びＣＨ２のオーディオ信号間において行なうことができる。すなわち、スライドボリューム１７の操作子１７ａの位置に応じて第１ＶＣＡ１５ではチャンネルＣＨ１のオーディオ信号レベルが制御され、第２ＶＣＡ１６ではチャンネルＣＨ２のオーディオ信号レベルが制御される。
【００１５】
次に、クロスフェード動作時のマイクロコンピュータ５の動作について説明する。マイクロコンピュータ５は図４及び図５に示すように、先ず、フェードスタートスイッチ２０がオンであるか否かを判別する（ステップＳ１）。フェードスタートスイッチ２０がオンであれば、クロスフェードオンオフスイッチ６がＯＮ側に切り換えられているか否かを判別する（ステップＳ２）。クロスフェードオンオフスイッチ６がＯＮ側に切り換えられている場合には、クロスフェード動作が可能となり、スライドボリューム１７の電圧ＶAをＡ／Ｄ変換器９５の出力ディジタル値から読み取り（ステップＳ３）、電圧ＶAからスライドボリューム１７の操作子１７ａの位置がＡ端にあるか否かを判別する（ステップＳ４）。操作子１７ａの位置がＡ端にあるならば、操作子１７ａの位置がＡ端から移動したか否かを電圧ＶAのディジタル値から判別する（ステップＳ５）。操作子１７ａの位置のＡ端からの移動を検出するまでステップＳ５が繰り返される。操作子１７ａの位置のＡ端からの移動が検出されると、Ｂチャンネルアサインスイッチ８による選択チャンネルを検出する（ステップＳ６）。ここで、検出された選択チャンネルをＣＨｎ（ｎは１〜４のうちのいずかれか１つの値）とすると、チャンネルＣＨｎのＣＤプレーヤに対してスタート信号を出力する（ステップＳ７）。よって、スライドボリューム１７の操作子１７ａの位置がＡ端から離れると、スタート信号に応じてチャンネルＣＨｎのＣＤプレーヤの再生動作が開始されるのである。
【００１６】
ステップＳ４において、操作子１７ａの位置がＡ端にないと判別した場合には、電圧ＶAからスライドボリューム１７の操作子１７ａの位置がＢ端にあるか否かを判別する（ステップＳ８）。操作子１７ａの位置がＢ端にあるならば、操作子１７ａの位置がＢ端から移動したか否かを電圧ＶAのディジタル値から判別する（ステップＳ９）。操作子１７ａの位置のＢ端からの移動を検出するまでステップＳ９が繰り返される。操作子１７ａの位置のＢ端からの移動が検出されると、Ａチャンネルアサインスイッチ７がいずれのチャンネルを選択しているかを検出する（ステップＳ１０）。ここで、検出された選択チャンネルをＣＨｍ（ｍは１〜４のうちのいずかれか１つの値）とすると、チャンネルＣＨｍのＣＤプレーヤに対してスタート信号を出力する（ステップＳ１１）。よって、スライドボリューム１７の操作子１７ａの位置がＢ端から離れると、スタート信号に応じてチャンネルＣＨｍのＣＤプレーヤの再生動作が開始されるのである。
【００１７】
ステップＳ８において、操作子１７ａの位置がＢ端にないと判別した場合には、スライドボリューム１７の操作子１７ａの位置がＡ端とＢ端との間にあることになるので、電圧ＶAからスライドボリューム１７の操作子１７ａの位置がＢ端に達したか否かを判別する（ステップＳ１２）。スライドボリューム１７の操作子１７ａの位置がＡ端から移動してＢ端に達したと判別したならば、Ａチャンネルアサインスイッチ７による選択チャンネルを検出する（ステップＳ１３）。ステップＳ１０と同様に、選択チャンネルをＣＨｍとすると、チャンネルＣＨｍのＣＤプレーヤに対してバックキュー信号を出力する（ステップＳ１４）。よって、スライドボリューム１７の操作子１７ａの位置がＡ端から離れた後、Ｂ端に達すると、バックキュー信号に応じてチャンネルＣＨｍのＣＤプレーヤの再生動作が停止され、そのプレーヤのピックアップ（図示せず）の読取位置が予め指定されたアドレス位置に戻される。この予め指定されたアドレス位置はユーザ（編集者）によって指定されてメモリ等に記憶されている。
【００１８】
ステップＳ１２において、スライドボリューム１７の操作子１７ａの位置がＢ端に達していない場合には、電圧ＶAからスライドボリューム１７の操作子１７ａの位置がＡ端に達したか否かを判別する（ステップＳ１５）。Ａ端に達していない場合にはまだＡ端とＢ端との間に操作子１７ａは存在するので、ステップＳ１２に戻る。スライドボリューム１７の操作子１７ａの位置がＢ端から移動してＡ端に達したと判別したならば、Ｂチャンネルアサインスイッチ８による選択チャンネルを検出する（ステップＳ１６）。ステップＳ６と同様に、チャンネルＣＨｎが選択されている場合には、チャンネルＣＨｎのＣＤプレーヤに対してバックキュー信号を出力する（ステップＳ１７）。よって、スライドボリューム１７の操作子１７ａの位置がＢ端から離れた後、Ａ端に達すると、バックキュー信号に応じてチャンネルＣＨｎのＣＤプレーヤの再生動作が停止され、そのプレーヤのピックアップ（図示せず）の読取位置が予め指定されたアドレス位置に戻される。
【００１９】
Ａチャンネルアサインスイッチ７がチャンネルＣＨ１を選択し、Ｂチャンネルアサインスイッチ８がチャンネルＣＨ２を選択しているとすると、スライドボリューム１７の操作子１７ａがＡ端にあるときにはチャンネルＣＨ１のＣＤプレーヤ１の出力オーディオ信号だけが入力レベル調整器１１、イコライザ調整器２１、チャンネルフェーダ調整器３１、切換スイッチ６１、Ａチャンネルアサインスイッチ７、ＶＣＡ１５、加算器１８、そしてマスターフェード調節器１９を順に経て出力されることになる。このとき、ＶＣＡ１５の利得は最大値となっており、ＶＣＡ１６の利得は最小値となっている。スライドボリューム１７の操作子１７ａがＡ端から離れると、ＣＤプレーヤ２にスタート信号が供給されて、ＣＤプレーヤ２からチャンネルＣＨ２のオーディオ信号の出力が開始される。ＣＤプレーヤ２からのオーディオ信号は入力レベル調整器１２、イコライザ調整器２２、チャンネルフェーダ調整器３２、切換スイッチ６２、Ｂチャンネルアサインスイッチ８、そしてＶＣＡ１６を経て加算器１８に供給され、加算器１８においてＶＣＡ１５を経たＣＤプレーヤ１の出力オーディオ信号と加算されることにより混合される。このように混合されたオーディオ信号がマスターフェード調節器１９を経て出力される。スライドボリューム１７の操作子１７ａがＡ端からＢ端に向かって移動することにより、ＶＣＡ１５の利得が最大値から徐々に低下し、ＶＣＡ１６の利得が最小値から徐々に増加するので、チャンネルＣＨ１のオーディオ信号レベルが徐々に低下し、逆にチャンネルＣＨ２のオーディオ信号レベルが徐々に増加する。
【００２０】
操作子１７ａがＡ端とＢ端との中間点に達すると、ＶＣＡ１５，１６の利得が同一となるので、ＶＣＡ１５，１６への各オーディオ信号の供給レベルが同一ならばチャンネルＣＨ１，ＣＨ２のオーディオ信号レベルがほぼ同一レベルで加算器１８において混合されることになる。操作子１７ａが中間点から更にＢ端に向かって移動することにより、ＶＣＡ１５の利得が更に低下し、ＶＣＡ１６の利得が更に増加してＶＣＡ１６の利得の方がＶＣＡ１５の利得より高くなる。よって、加算器１８で混合されるチャンネルＣＨ１のオーディオ信号レベルが低くなってチャンネルＣＨ２のオーディオ信号レベルの方が大きくなってしまう。操作子１７ａがＢ端に到達すると、ＶＣＡ１５の利得は最小値となり、ＶＣＡ１６の利得は最大値となるので、チャンネルＣＨ２のＣＤプレーヤ２の出力オーディオ信号だけが入力レベル調整器１２、イコライザ調整器２２、チャンネルフェーダ調整器３２、切換スイッチ６２、Ｂチャンネルアサインスイッチ８、ＶＣＡ１６、加算器１８、そしてマスターフェード調節器１９を順に経て出力されることになる。このとき、ＣＤプレーヤ１にバックキュー信号が供給されるので、ＣＤプレーヤ１は再生動作を停止し、ピックアップの読取位置を予め指定されたアドレス位置に戻して待機状態となる。
【００２１】
スライドボリューム１７の操作子１７ａがＢ端からＡ端に向かって移動操作される場合には、上記の動作とは逆の動作が行われることになる。また、上記した実施例ではＡチャンネルアサインスイッチ７がチャンネルＣＨ１を選択し、Ｂチャンネルアサインスイッチ８がチャンネルＣＨ２を選択した場合について説明したが、Ａ及びＢチャンネルアサインスイッチ７，８において選択されるチャンネルがいずれであっても上記と同様の動作が行なわれる。なお、Ａ及びＢチャンネルアサインスイッチ７，８において同一のチャンネルが選択されることはないとする。
【００２２】
ステップＳ２において、クロスフェードオンオフスイッチがＯＮ側でなくＯＦＦ側に切り換えられている場合には、チャンネルフェーダ調整器３１〜３４の各操作子の位置に応じたＣＤプレーヤ１〜４の制御動作が行なわれる（ステップＳ１８）。マイクロコンピュータ５は、例えば、チャンネルフェーダ調整器３１の操作子がＭＩＮ（最小）位置にある場合にはその操作子がＭＡＸ（最大）位置方向に移動したときＣＤプレーヤ１にスタート信号を発生し、一方、チャンネルフェーダ調整器３１の操作子がＭＩＮ位置以外にある場合にその操作子がＭＩＮ位置に達するとＣＤプレーヤ１にバックキュー信号を発生する。他のチャンネルフェーダ調整器３２〜３４の操作子に対しても同様のＣＤプレーヤ制御が行なわれる。
【００２３】
なお、上記した実施例においては、操作子１７ａがＡ端からＢ端に移動する場合にチャンネルＣＨ１のＣＤプレーヤ１はＢ端に達したときに再生動作が停止されるが、操作子１７ａがＡ端とＢ端との中間点よりＢ端側に位置したときにチャンネルＣＨ１のＣＤプレーヤ１の再生動作を停止させるようにしても良い。また、上記した実施例においては、記録媒体の記録信号を再生する装置としてＣＤプレーヤを示したが、これに限定されることはなく、テープデッキ、ミニディスクプレーヤ等の他の再生装置を用いても良いことは明らかである。
【００２４】
更に、上記した実施例においては、操作子を直線移動させるスライドボリュームを示したが、操作子を回転させる回転ボリュームを用いても良い。また、スライドボリュームのＡ端及びＢ端に操作子の存在を検出するスイッチを各々設けてそのスイッチの出力に応じてＣＤプレーヤの再生動作を制御しても良い。
本発明のディスクプレーヤにおいては、ディスク上の指定されたアドレス位置を記憶する記憶手段が設けられ、混合装置から再生開始の指示を受けると再生動作を開始し、混合装置から再生停止の指示を受けると、その再生動作を停止しかつピックアップの読取位置を記憶手段に記憶されているアドレス位置に戻すことによりディスクプレーヤ自体を待機状態に制御する。よって、本発明のディスクプレーヤをオーディオ信号混合装置に接続すれば、ロングミックス編集を簡単な操作でなし得ることができる。
【図面の簡単な説明】
【図１】本発明の実施例を示す図である。
【図２】図１の装置中のスライドボリュームの操作子を示す図である。
【図３】操作子の位置と２つのＶＣＡの利得との関係を示す特性である。
【図４】マイクロコンピュータの動作を示すフローチャートである。
【図５】図４の続き部分を示すフローチャートである。
【主要部分の符号の説明】
６  クロスフェードオンオフスイッチ
７，８  チャンネルアサインスイッチ
１７  スライドボリューム
【図１】
0003695590.tif 000002
【図２】
0003695590.tif 000003
【図３】
0003695590.tif 000004
【図４】
0003695590.tif 000005
【図５】
0003695590.tif 000006